(57)【要約】【課題】蒸発器ユニットの構成部品どうしを正確に位置決めし、高度の気密性を備えた状態で簡単に組み立ることができる米保冷庫を提供する。【解決手段】保冷庫本体１の上面に配置される冷却装置を、圧縮機１２および凝縮機器１１と、天井壁１ａに埋設した隔壁ブロック３上に配置される蒸発器ユニット１３とで構成する。蒸発器ユニット１３は、基台ブロック２５と、基台ブロック２５を覆う箱ブロック２６と、両ブロック２５・２６で上下に挟持固定される蒸発器２７、蒸発器ファン２８、および導風ケース２９などを含む。隔壁ブロック３、基台ブロック２５、箱ブロック２６は、それぞれ発泡プラスチック材製の射出成形品で形成して、それぞれの接合面どうしを、位置決め構造と気密シール構造を兼ねる凹凸係合部７３・７４で接合する。箱ブロック２６を締結構造６８で天井壁１ａに締結して凹凸係合部７３・７４を密着させる。【選択図】図１
2007292319.tif 000002
【特許請求の範囲】
【請求項１】
保冷庫本体（１）の上面に配置した冷却装置が、天井壁（１ａ）の上面に配置される圧縮機（１２）および凝縮機器（１１）と、天井壁（１ａ）に設けた隔壁ブロック（３）の上面に配置される蒸発器ユニット（１３）とで構成されており、
隔壁ブロック（３）には、庫内空間に連通する吸込口（４）と送給口（５）とが分離形成されており、
蒸発器ユニット（１３）は、隔壁ブロック（３）の上面に接合される基台ブロック（２５）と、基台ブロック（２５）の外面全体を覆う状態で隔壁ブロック（３）の上面に接合される箱ブロック（２６）と、基台ブロック（２５）と箱ブロック（２６）とで上下に挟持固定される蒸発器（２７）、および蒸発器ファン（２８）と、箱ブロック（２６）の外面から基台ブロック（２５）に装着固定される締結体（３０）とを含み、
隔壁ブロック（３）、基台ブロック（２５）、箱ブロック（２６）の三者は、それぞれ発泡プラスチック材製の成形品で形成されており、
隔壁ブロック（３）と基台ブロック（２５）、および隔壁ブロック（３）と箱ブロック（２６）の、それぞれの接合面に位置決め構造と気密シール構造を兼ねる凹凸係合部（７３・７４）が形成されており、
蒸発器ユニット（１３）が、蒸発器ユニット（１３）と天井壁（１ａ）との間に設けた締結構造（６８）で、天井壁（１ａ）に締結固定してある米保冷庫。
【請求項２】
蒸発器（２７）と、蒸発器（２７）の一側に配置した蒸発器ファン（２８）および導風ケース（２９）と、蒸発器（２７）の下面に配置した集水皿（５６）とが、互いに締結されて１個の機器ユニット（５２）として構成されており、
箱ブロック（２６）の内面には、機器ユニット（５２）の上部を遊動不能に係合保持する上保持部（４６）が形成されており、
基台ブロック（２５）の上面には、機器ユニット（５２）の下部を遊動不能に係合保持する下保持部（４０）が形成されており、
機器ユニット（５２）および基台ブロック（２５）を箱ブロック（２６）に組み付けた状態において、機器ユニット（５２）が上保持部（４６）と下保持部（４０）とで挟持固定してある請求項１記載の米保冷庫。
【請求項３】
隔壁ブロック（３）の吸込口（４）と送給口（５）とで挟まれる受壁（３３）の上面に基台ブロック（２５）を接合して、箱ブロック（２６）と基台ブロック（２５）との間に、吸込口（４）と送給口（５）とを連通するコ字形の循環通路（６６）が形成されており、
循環通路（６６）の上隅と基台ブロック（２５）の上隅との間に、蒸発器ファン（２８）が斜めに傾斜する状態で支持してある請求項２記載の米保冷庫。
【請求項４】
プラスチック成形品からなる集水皿（５６）の底壁（６２）に、蒸発器（２７）の側枠（５１）を支持する受座（６３）と、ブラケット（６５）とが一体形成されており、
蒸発器（２７）と集水皿（５６）とが、ブラケット（６５）を側枠（５１）に締結固定して一体化されており、
蒸発器（２７）と蒸発器ファン（２８）とが、両者（２７・２８）の間に設けた導風ケース（２９）を介して一体に締結固定してある請求項２または３記載の米保冷庫。
【発明の詳細な説明】
【技術分野】
【０００１】
本発明は、保冷庫本体の上面に、蒸発器と蒸発器ファンを含む蒸発器ユニットが配置してある米保冷庫に関する。この米保冷庫は、主として玄米や白米などの米を低温で保存して食味が低下するのを防止する。
【背景技術】
【０００２】
この種の保冷庫の基本構造は例えば特許文献１に公知である。保冷庫は、一群の米パックを収容する保冷庫本体と、保冷庫本体の上面に配置される冷却装置とを備えており、冷却装置から送給される冷気で、保冷庫本体に収納した米パックを低温保存する。冷却装置は、保冷庫本体の上面に半ば埋設する状態で配置される断熱箱に組み込まれており、断熱箱の一側に蒸発器ユニットを配置し、他側に凝縮機器と圧縮機とを配置している。
【０００３】
本発明では、保冷庫本体の上面に発泡プラスチック材で形成した断熱箱を配置し、その内部に蒸発器と蒸発器ファンとを収容して蒸発器ユニットとするが、この種の米保冷庫は特許文献２に公知である。そこでは、金属板製の取付台と、取付台に嵌め込み固定される発泡プラスチック材製のベースと、ベースに組み付けられる蒸発器および蒸発器ファンと、ベースの上面に被せ付けられる発泡プラスチック材製のドーム状のカバーとで蒸発器ユニットを構成している。蒸発器ユニットは、取付台を天井壁に形成した通気開口の外面に固定することにより保冷庫本体と一体化される。
【０００４】
【特許文献１】特開２００３−３０２１４１号公報（段落番号００１１、図４）
【特許文献２】特許第３６４７７２７号公報（段落番号０００６、図１）
【発明の開示】
【発明が解決しようとする課題】
【０００５】
特許文献２の保冷庫においては、蒸発器および蒸発器ファンなどの機器をベースに組み付けたのち、カバーをベースに被せ付け、この状態のベースを取付台に嵌め込み装着することで蒸発器ユニットを完成でき、一連の組立に要する手間を軽減できる。しかし、各部材どうしを単に接合し、あるいは嵌め込み係合しているに過ぎないので、各部品ががたつきやすい。さらに、取付台と天井壁との間、あるいはベースとカバーとの間に小さな隙間が生じるのを避けられず、この隙間から冷気や外部空気が出入りするおそれがあり、蒸発器ユニットの気密性が低い点に問題がある。
【０００６】
本発明の目的は、蒸発器ユニットをより少ない手間で組み立てられるにもかかわらず、隣接する構成部品どうしを正確に位置決めした状態で、しかも高度の気密性を備えた状態で組むことができ、したがって、冷気や外気の出入りを確実に防止して、米パックを効率よく低温保存できる米保冷庫を提供することにある。本発明の目的は、冷気や外気の出入りを確実に防止できる気密性に優れた蒸発器ユニットであるにもかかわらず、ユニット内部に配置された蒸発器や蒸発器ファンなどの保守作業を簡便に行える米保冷庫を提供することにある。
【課題を解決するための手段】
【０００７】
本発明の米保冷庫は、保冷庫本体１の上面に配置した冷却装置を、天井壁１ａの上面に配置される圧縮機１２および凝縮機器１１と、天井壁１ａに設けた隔壁ブロック３の上面に配置される蒸発器ユニット１３とで構成する。隔壁ブロック３には、庫内空間に連通する吸込口４と送給口５とが分離形成される。蒸発器ユニット１３は、隔壁ブロック３の上面に接合される基台ブロック２５と、基台ブロック２５の外面全体を覆う状態で隔壁ブロック３の上面に接合される箱ブロック２６と、基台ブロック２５と箱ブロック２６とで上下に挟持固定される蒸発器２７、および蒸発器ファン２８と、箱ブロック２６の外面から基台ブロック２５に装着固定される締結体３０とを含む。隔壁ブロック３、基台ブロック２５、箱ブロック２６の三者は、それぞれ発泡プラスチック材製の成形品で形成する。隔壁ブロック３と基台ブロック２５、および隔壁ブロック３と箱ブロック２６の、それぞれの接合面に位置決め構造と気密シール構造を兼ねる凹凸係合部７３・７４を形成する。蒸発器ユニット１３は、蒸発器ユニット１３と天井壁１ａとの間に設けた締結構造６８で、天井壁１ａに締結固定する。
【０００８】
蒸発器２７と、蒸発器２７の一側に配置した蒸発器ファン２８および導風ケース２９と、蒸発器２７の下面に配置した集水皿５６とを、互いに締結して１個の機器ユニット５２として構成する。箱ブロック２６の内面には、機器ユニット５２の上部を遊動不能に係合保持する上保持部４６を形成する。基台ブロック２５の上面に、機器ユニット５２の下部を遊動不能に係合保持する下保持部４０を形成する。以て、機器ユニット５２および基台ブロック２５を箱ブロック２６に組み付けた状態において、機器ユニット５２を上保持部４６と下保持部４０とで挟持固定する。
【０００９】
隔壁ブロック３の吸込口４と送給口５とで挟まれる受壁３３の上面に基台ブロック２５を接合して、箱ブロック２６と基台ブロック２５との間に、吸込口４と送給口５とを連通するコ字形の循環通路６６を形成する。循環通路６６の上隅と基台ブロック２５の上隅との間に、蒸発器ファン２８を斜めに傾斜する状態で支持する。
【００１０】
プラスチック成形品からなる集水皿５６の底壁６２に、蒸発器２７の側枠５１を支持する受座６３と、ブラケット６５とを一体形成する。蒸発器２７と集水皿５６とは、ブラケット６５を側枠５１に締結固定して一体化する。蒸発器２７と蒸発器ファン２８とは、両者２７・２８の間に設けた導風ケース２９を介して一体に締結固定する。
【発明の効果】
【００１１】
本発明では、基台ブロック２５および箱ブロック２６と、両ブロック２５・２６で上下に挟持固定される、蒸発器２７および蒸発器ファン２８などで蒸発器ユニット１３を構成し、隔壁ブロック３の上面に蒸発器ユニット１３を接合したうえで、締結構造６８により天井壁１ａに締結固定するので、蒸発器ユニット１３をより少ない手間で組み立てることができるのはもちろん、基台ブロック２５と隔壁ブロック３、および箱ブロック２６と隔壁ブロック３を、それぞれの接合面に設けた凹凸係合部７３・７４で正確に位置決めした状態の許に接合固定できる。
【００１２】
さらに、蒸発器ユニット１３を締結構造６８で天井壁１ａに締結固定することにより凹凸係合部７３・７４を密着させて、各ブロック３・２５・２６の接合部分に隙間が生じるのを解消するので、全体として蒸発器ユニット１３の構成部品どうしを正確に位置決めした状態で、しかも高度の気密性を備えた状態で組むことができ、これにより、冷気や外気の出入りを確実に防止して、米パックＰを効率よく低温保存できる米保冷庫が得られる。箱ブロック２６と基台ブロック２５とを、箱ブロック２６の外面側から装着される締結体３０で固定するので、締結構造６８と締結体３０とを箱ブロック２６から分離したのち、箱ブロック２６を取外すことにより、蒸発器２７や蒸発器ファン２８を露出させて、点検作業や部品交換などの保守作業を、簡便にしかも的確に行うことができる。
【００１３】
蒸発器２７、蒸発器ファン２８、導風ケース２９と、蒸発器２７の下面に配置した集水皿５６とを互いに締結して機器ユニット５２を構成すると、反転した箱ブロック２６に機器ユニット５２と基台ブロック２５とを組み付けるだけで、蒸発器ユニット１３の組立を完了でき、たとえば機器ユニットの構成部材を個別に箱ブロックに組み付ける場合に比べて、蒸発器ユニット１３の組立の手間を著しく削減できる。また、組立状態における機器ユニット５２を、箱ブロック２６の内面に設けた上保持部４６と、基台ブロック２５の上面に設けた下保持部４０とで挟持固定すると、隔壁ブロック３、基台ブロック２５、箱ブロック２６と機器ユニット５２を相対移動不能に一体化できるので、冷却装置の運転時に各部品ががたつくのを確実に防止でき、したがって蒸発器ユニット１３による熱交換作用を常に適正な状態で行うことができる。
【００１４】
隔壁ブロック３の上面に基台ブロック２５を接合して、箱ブロック２６と基台ブロック２５との間にコ字形の循環通路６６を形成し、循環通路６６の上隅と基台ブロック２５の上隅との間に蒸発器ファン２８を斜めに傾斜する状態で支持する蒸発器ユニット１３によれば、蒸発器ファン２８を空間の無駄を省いた状態で箱ブロック２６内に配置できるので、例えば蒸発器ファンを縦、あるいは横向きに配置する場合に比べて、蒸発器ユニット１３の外形寸法を小さくして、その分だけ米保冷庫の設置スペースを小さくすることができる。
【００１５】
プラスチック成形品からなる集水皿５６の底壁６２に受座６３とブラケット６５を一体形成し、蒸発器２７の側枠５１を受座６３で支持したうえで、側枠５１とブラケット６５とを締結固定し、さらに、蒸発器ファン２８と蒸発器２７とを導風ケース２９を介して締結固定する蒸発器ユニット１３によれば、集水皿５６、蒸発器２７、蒸発器ファン２８、導風ケース２９の四者からなる機器ユニット５２をより堅牢に構成できる。さらに、蒸発器２７や蒸発器ファン２８の重量を集水皿５６で分散支持できるので、蒸発器２７などの重量が側枠５１の下部に集中して、発泡プラスチック材で形成した基台ブロック２５が傷付くのを確実に防止できる。
【発明を実施するための最良の形態】
【００１６】
（実施例）  図１ないし図７は本発明に係る米保冷庫の実施例を示す。図２において米保冷庫は、一群の米パックＰを収容する保冷庫本体１と、保冷庫本体１の天井壁１ａの外面に配置される冷却装置と、保冷庫本体１の前面開口を揺動開閉するドア２とで構成する。保冷庫本体１は前面が開口する縦長直方体状の箱体からなり、箱周壁の全てが中空の鋼板パネルの内部に発泡断熱材を注入して形成してある。
【００１７】
庫内の天井壁１ａの一側には隔壁ブロック３が埋設固定されて、その左右に吸込口４と送給口５とが分離開口してある。庫内の底壁には冷気の循環を許すパレット６が載置してあり、その上面に一群の米パックＰが庫内周壁と隙間をあけた状態で積み上げてある。この場合の米パックＰは、紙袋に３０kgの玄米を詰めた包装体からなる。
【００１８】
図１において冷却装置は、保冷庫本体１の上面右半部に配置される凝縮機器１１および圧縮機１２と、隔壁ブロック３の上面に配置される蒸発器ユニット１３と、これらの機器を収容する角箱状のカバー１４と、蒸発器ユニット１３で生じる結露水や除霜水を排出し蒸発させるドレン構造などで構成する。
【００１９】
凝縮機器１１は、凝縮器ファン１６、および凝縮器１７からなり、これら両者１６・１７と圧縮機１２とが、ケース前部からケース後部へ向かって記載順に配置してある。凝縮器ファン１６と対向するカバー１４の前壁には、一群の吸風口が開口され、圧縮機１２に臨むカバー１４の後面は開放してある。図２において符号１９はカバー１４の前壁に配置した操作パネルであり、そこには電源スイッチ、運転モードスイッチ、温度調節器、および温度表示器などが組み込んである。
【００２０】
凝縮器１７はワイヤー型の凝縮器からなり、保冷庫本体１の天井壁１ａに固定した前後一対のベース枠２０で支持してある。凝縮器ファン１６は、天井壁１ａに立設固定したブラケットに装着されて凝縮器１７の前面中央部分と正対しており、吸風口から吸い込んだ外部空気を凝縮器１７へ向かって送給する。圧縮機１２は、凝縮器１７の後ろ側に隣接配置されて、天井壁１ａの上面に固定したベース枠で防振具を介して支持してある。
【００２１】
図３において蒸発器ユニット１３は、隔壁ブロック３の上面に接合される基台ブロック２５と、基台ブロック２５の外面全体を覆う状態で隔壁ブロック３の上面に接合される箱ブロック２６と、基台ブロック２５と箱ブロック２６とで上下に挟持固定される蒸発器２７、蒸発器ファン２８、および導風ケース２９と、基台ブロック２５と箱ブロック２６とを固定する締結体３０（図５参照）などで構成する。締結体３０は、全長が長いプラスチック製の釘状体からなる。
【００２２】
隔壁ブロック３、基台ブロック２５、箱ブロック２６の三者は、それぞれ成形された発泡スチロールからなる。図４に示すように隔壁ブロック３は、左右辺部が長い長方形の板状ブロックからなり、その板面の左右に吸込口４と送給口５が上下貫通状に開口され、両開口４・５の間に基台ブロック２５を支持するための受壁３３が形成してある。隔壁ブロック３の上面周縁に沿って、先の開口４・５と受壁３３を囲む係合段部（係合凹部）３４が凹み形成してある。受壁３３の上面にも同様の係合凹部３５が逆台形状に凹み形成してある。
【００２３】
図５に示すように、隔壁ブロック３は天井壁１ａと同じ厚みに形成してあり、天井壁１ａに埋設した状態で固定される。詳しくは、保冷庫本体１の内箱を構成する鋼板３８ａの上面に隔壁ブロック３を組み付けたのち、外箱を構成する鋼板３８ｂを組み付け、両鋼板３８ａ・３８ｂの間に発泡ウレタンを充填することにより、隔壁ブロック３を天井壁１ａの上面と面一になる状態で埋設固定する。このように、予め成形しておいた隔壁ブロック３を天井壁１ａに埋設して、吸込口４と送給口５を形成すると、吸込口４、送給口５、係合段部３４、および係合凹部３５などの形状精度、および位置精度を向上できる。
【００２４】
基台ブロック２５は、受壁３３と同じ幅の前後に長い長方形の板状ブロックからなり、ブロック上面に集水皿５６を挟持するための下保持部４０を凹み形成し、ブロック下面に先の係合凹部３５に嵌まり込む係合凸部４１を逆台形状に膨出形成してなる。下保持部４０の内底面は、集水皿５６の底壁の傾斜形状に合致して傾斜させてある。
【００２５】
箱ブロック２６は、下向きに開口する直方体状の箱体からなり、その内面前後に規制壁４３を膨出形成し、前後の規制壁４３の間に送給口５と連通する送給通路４４を形成してなる（図７参照）。箱ブロック２６の下面周縁には、先に説明した係合段部３４と係合する係合凸部４５が形成してある。規制壁４３と同壁４３に対向する内側壁とで、蒸発器２７と蒸発器ファン２８を嵌め込むための上保持部４６が形成される。箱ブロック２６の開口縁には冷媒管、排水パイプ５８、および給電コード用の３個の逃げ溝４７が切り欠き形成してある。
【００２６】
蒸発器２７は、繰り返し反転屈曲される冷媒管と、一群のフィン、および冷媒管を支持する前後一対の側枠５１などで構成してあり、後述するように側枠５１に集水皿５６が締結固定してある。図７に示すように蒸発器ファン２８は、ファンモーター２８ａとファンケース２８ｂとを一体に備えたユニット部品からなる。ファンケース２８ｂを導風ケース２９に締結固定し、導風ケース２９を蒸発器２７に締結固定することにより、図３に示すように蒸発器２７、蒸発器ファン２８、導風ケース２９、および集水皿５６が、１個の機器ユニット５２として一体化される。
【００２７】
導風ケース２９は、前後壁と上壁、および前後壁の外側面を斜めに塞ぐ側壁とを一体に備えたプレス成形品からなり、図３に示すように前後のケース壁が、蒸発器２７の側枠５１にビス５４で締結され、傾斜する側壁の前後中央に設けた開口にファンケース２８ｂが締結固定してある（図７参照）。導風ケース２９の上壁の側端には、上保持部４６の内隅部分に接当する逆Ｌ字状の安定枠５３が一体に形成してある。導風ケース２９に組み付けた状態の蒸発器ファン２８は、図１に示すように、循環通路６６の上隅と基台ブロック２５の上隅とを結ぶ傾斜面に沿って斜めに傾斜する状態で支持され、その吸込面が吸込口４に連続する吸込通路５０の側に面している。
【００２８】
図１においてドレン構造は、蒸発器２７の下面側に配置される集水皿５６と、凝縮機器１１および圧縮機１２の下面側に配置される蒸発皿５７と、集水皿５６と蒸発皿５７とを連通する排水パイプ５８と、排水パイプ５８の中途部に設けられるトラップ５９とで構成する。
【００２９】
集水皿５６は、前後に長い角皿状のプラスチック成形品からなり、その底壁６２を排水パイプ５８の側へ向かって下り傾斜させ、前後中央の傾斜下端の外面に、排水パイプ５８を接続するための出口管が一体に設けてある。トラップ５９は、逃げ溝４７から箱外へ導出される排水パイプ５８の中途部を、他のパイプ部分より低くなるようにバンド６０で天井壁１ａに締結して形成してあり、冷気および外気の出入りを遮断しながら結露水や除霜水を排水するために設けられている。
【００３０】
図６に示すように集水皿５６の底壁６２は、それぞれ出口管へ向かって下り傾斜する３個の三角形状の壁面で構成されており、底壁の前後に蒸発器２７の側枠５１を支持する一対ずつの受座６３と、側枠５１の側端を受け止める位置決め突起６４と、ブラケット６５とが一体に形成してある。図５に示すように、側枠５１の下端が受座６３の溝に嵌まりこみ、側枠５１の側端が位置決め突起６４に接当する状態で、ブラケット６５と側枠５１と導風ケース２９の前後壁の下側部分とをビス５４で締結することにより、集水皿５６を導風ケース２９と共に蒸発器２７と一体化することができる。
【００３１】
蒸発皿５７の全体は凝縮器ファン１６の通風領域に臨ませてあり、さらに蒸発皿５７の後半部分は、凝縮器１７を通過した温排風の通風領域内に臨む状態で配置してある。これにより、皿内の排水と凝縮器ファン１６から送給される冷却空気との接触機会を増加して、皿内に排出された排水の蒸発を促進することができるうえ、熱交換後の温排風によって排水の蒸発作用をさらに促進して、単位時間あたりの蒸発量を増加できる。
【００３２】
蒸発器ユニット１３の組立は、以下の要領で行う。まず開口面が上になる状態で箱ブロック２６を反転し、予め一体化しておいた機器ユニット５２を上保持部４６に嵌め込み装着する。この状態では、蒸発器２７の側枠５１と導風ケース２９の安定枠５３とが、上保持部４６の左右の上隅部分に接当するので、機器ユニット５２を箱ブロック２６に対して左右遊動、および前後遊動不能に組むことができる。次に、基台ブロック２５の下保持部４０を集水皿５６に被せ付けて、基台ブロック２５を箱ブロック２６内に収める。このとき、箱ブロック２６内の正規位置に機器ユニット５２が収容されていれば、基台ブロック２５を箱ブロック２６内に収めた状態において、両ブロック２５・２６の周縁面が同一高さになるので、その状態を確認することによって機器ユニット５２が適正に組み付けられていることを知ることができる。最後に、釘状の締結体３０を箱ブロック２６の前後側面から基台ブロック２５に打ち込んで、基台ブロック２５を分離不能に固定する。
【００３３】
得られた、蒸発器ユニット１３の全体を反転したうえで隔壁ブロック３の上面に載置し、蒸発器ユニット１３を前後一対の締結構造６８で天井壁１ａに締結することにより、蒸発器ユニット１３を保冷庫本体１に固定できる。この状態では、箱ブロック２６と基台ブロック２５との間に、吸込口４と送給口５とを連通するコ字形の循環通路６６が形成されており、循環通路６６の中途部に機器ユニット５２が配置されて、吸込通路５０と送給通路４４とを区分している。
【００３４】
締結構造６８は、箱ブロック２６に沿ってコ字上に折り曲げられる押え金具６９と、押え金具６９の両端に設けた締結座を天井壁１ａに締結するビス（ねじ）７０とで構成する。このように、箱ブロック２６を押え金具６９で押さえ保持することにより、箱ブロック２６と隔壁ブロック３とを隙間のない状態で密着接合でき、同時に基台ブロック２５と隔壁ブロック３とを隙間のない状態で密着接合することができる。
【００３５】
上記のように、蒸発器ユニット１３を隔壁ブロック３に組み付けた状態においては、箱ブロック２６と隔壁ブロック３、および基台ブロック２５と隔壁ブロック３とが、それぞれ位置決め構造と気密シール構造を兼ねる凹凸係合部７３・７４を介して相対移動不能に接合される。詳しくは、箱ブロック２６と隔壁ブロック３とは、係合凸部４５と係合段部３４とからなる凹凸係合部７３を介して接合されており、基台ブロック２５と隔壁ブロック３とは、係合凸部４１と係合凹部３５とからなる凹凸係合部７４を介して接合されている。基台ブロック２５の下保持部４０に嵌まり込んでいる集水皿５６は、基台ブロック２５の補強部材として機能する。
【００３６】
使用状態において、庫内の空気は吸込口４と吸込通路５０を介して吸い込まれ、蒸発器ファン２８で加圧された庫内空気が蒸発器２７を通過する間に冷却されて、送給通路４４と送給口５を介して庫内空間へと吹き出し送給される。これにより、保冷庫本体１の内部は、５〜１５℃の温度範囲内で任意の設定温度に維持されて、米パックＰ内の玄米を低温状態に保持し、玄米に含まれる脂肪酸の酸化を防止できる。
【００３７】
上記の実施例以外に、隔壁ブロック３は天井壁１ａに埋設する以外に、その上面側に張出し形成したフランジ壁が天井壁１ａの上面で受け止められるように構成することができる。蒸発器ファン２８を蒸発器２７の側枠５１で支持する場合には、導風ケース２９を省略することができる。受座６３は上面が開口する溝構造とする必要はなく、側枠５１の下端部構造の違いに応じて凹部や、横溝などで形成することができる。
【００３８】
凹凸係合部７３・７４は、係合段部３４、および係合凹部３５を、箱ブロック２６、および基台ブロック２５側に形成し、係合凸部４１・４５を隔壁ブロック３側に形成して構成することができる。締結体３０は釘状に形成する以外に、例えば基台ブロック２５にインサート固定した雌ねじ体と、箱ブロック２６を介して雌ねじ体にねじ込まれるボルトとで構成することができる。締結構造６８は、箱ブロック２６を天井壁１ａに締結できる構造であれば、実施例で説明した構造である必要はない。米保冷庫は米以外の穀類や野菜等の保冷庫として使用することができ、その場合には、加湿機能を付加して庫内の湿度を所定状態に調整することができる。
【図面の簡単な説明】
【００３９】
【図１】冷却装置の概略構造を示す縦断正面図である。
【図２】米保冷庫のドアを開放した状態の正面図である。
【図３】蒸発器ユニットの分解正面図である。
【図４】隔壁ブロック、基台ブロック、および箱ブロックの分解斜視図である。
【図５】図１におけるＡ−Ａ線断面図である。
【図６】集水皿の平面図である。
【図７】図１におけるＢ−Ｂ線断面図である。
【符号の説明】
【００４０】
１  保冷庫本体
１ａ  天井壁
３  隔壁ブロック
４  吸込口
５  送給口
１１  凝縮機器
１２  圧縮機
１３  蒸発器ユニット
２５  基台ブロック
２６  箱ブロック
２７  蒸発器
２８  蒸発器ファン
２９  導風ケース
３０  締結体
５６  集水皿
６８  締結構造
７３  凹凸係合部
７４  凹凸係合部
Ｐ  米パック
【図１】
2007292319.tif 000003
【図２】
2007292319.tif 000004
【図３】
2007292319.tif 000005
【図４】
2007292319.tif 000006
【図５】
2007292319.tif 000007
【図６】
2007292319.tif 000008
【図７】
2007292319.tif 000009